(57)【要約】【課題】パイプの端部に容易に取り付けられる流体フィルタを提供する。【解決手段】筒状のパイプ１２の端部が取り付けられる第１流体口２６を一端に有する流体フィルタにおいて、筒状部２０は、側面に形成された第２流体口２８と、一端側に形成された筒状の基部４２と、を有する。リテーナ２２は、筒状部２０の一端側に組み付けられる。リテーナ２２の第１係合部は、基部４２に係合し、第２係合部３８は、パイプ１２に係合可能である。一端側から基部４２およびリテーナ２２の内側にパイプ１２が挿入された際に、筒状部２０またはリテーナ２２がパイプ１２に当たって挿入を止めるとともに、第２係合部３８がパイプ１２に係合する。【選択図】図６
2020089846.tif 000002
【特許請求の範囲】
【請求項１】
筒状のパイプの端部に取り付けられる第１流体口を一端に有する流体フィルタであって、
側面に形成された第２流体口と、前記一端側に形成された筒状の基部と、を有する筒状部と、
前記筒状部の前記一端側に組み付けられるリテーナと、を備え、
前記リテーナは、
前記基部に係合する第１係合部と、
パイプに係合可能な第２係合部と、を有し、
前記一端側から前記基部および前記リテーナの内側にパイプが挿入された際に、前記筒状部または前記リテーナがパイプに当たって挿入を止めるとともに、前記第２係合部がパイプに係合することを特徴とする流体フィルタ。
【請求項２】
前記第２係合部は、パイプに形成された係合孔に係合する弾性爪であることを特徴とする請求項１に記載の流体フィルタ。
【請求項３】
前記リテーナは、パイプを挿入可能な筒状の受入部を有し、
前記第２流体口には網が設けられ、
挿入されたパイプの端部と、前記受入部とが、前記網の内側に位置することを特徴とする請求項１または２に記載の流体フィルタ。
【請求項４】
前記リテーナは、前記受入部の径方向外側に重なるように設けられた外筒部を有し、
前記第１係合部は、前記外筒部に形成されており、
前記外筒部は、径方向にみて前記基部に重なるように位置することを特徴とする請求項３に記載の流体フィルタ。
【請求項５】
前記第２係合部は、前記筒状部の軸方向に沿って延出して撓み可能であり、
前記第１係合部は、前記筒状部の軸方向に沿って延出して撓み可能であることを特徴とする請求項１または２に記載の流体フィルタ。
【発明の詳細な説明】
【技術分野】
【０００１】
本発明は、リテーナによってパイプに取り付け可能な流体フィルタに関する。
【背景技術】
【０００２】
車両のトランスミッションにはオイル回路が設けられ、オイル回路内にオイルが流通する。このオイル回路内には、製造時に残ったバリやほこり、使用時に摩擦で生じた鉄粉などの異物が混入している可能性がある。そこで異物を除去するためのフィルタがオイル回路に取り付けられる。
【０００３】
特許文献１に開示される流体フィルタは、側面に流体出口を有する筒状部と、筒状部の一端に流体入口を有する第１基部と、筒状部の他端に配される第２基部と、筒状部の内側に設けられる棒状の磁性体と、筒状部の内側で前記磁性体を保持する保持部とを備える。この流体フィルタは、第１基部がトランスミッションの第１取付孔に固定され、第２基部が第２取付孔に隙間なく固定されることで、オイル回路に取り付けられる。
【先行技術文献】
【特許文献】
【０００４】
【特許文献１】特開２０１５−２２４７６６号公報
【発明の概要】
【発明が解決しようとする課題】
【０００５】
特許文献１に開示される流体フィルタは取付孔に取り付けられるが、パイプの端部に取り付けられるものではない。本発明者らは、パイプの端部に取付可能な新たな流体フィルタを見出した。
【０００６】
本発明の目的は、パイプの端部に容易に取り付けられる流体フィルタを提供することにある。
【課題を解決するための手段】
【０００７】
上記課題を解決するために、本発明のある態様の流体フィルタは、筒状のパイプの端部に取り付けられる第１流体口を一端に有する流体フィルタであって、側面に形成された第２流体口と、一端側に形成された筒状の基部と、を有する筒状部と、筒状部の一端側に組み付けられるリテーナと、を備える。リテーナは、基部に係合する第１係合部と、パイプに係合可能な第２係合部と、を有する。一端側から基部およびリテーナの内側にパイプが挿入された際に、筒状部またはリテーナがパイプに当たって挿入を止めるとともに、第２係合部がパイプに係合する。
【発明の効果】
【０００８】
本発明によれば、パイプの端部に容易に取り付けられる流体フィルタを提供できる。
【図面の簡単な説明】
【０００９】
【図１】第１実施例の流体フィルタを取り付けた状態を示す図である。
【図２】リテーナの斜視図である。
【図３】図３（ａ）は、リテーナの側面図であり、図３（ｂ）は、リテーナの正面図である。
【図４】図４（ａ）は、リテーナの平面図であり、図４（ｂ）は、リテーナの背面図である。
【図５】筒状部の斜視図である。
【図６】パイプに取り付けた状態の流体フィルタの断面図である。
【図７】第２実施例の流体フィルタについて説明するための図である。
【図８】流体フィルタの分解図である。
【図９】図７（ａ）に示す流体フィルタの線分Ａ−Ａ断面図である。
【図１０】図７（ｂ）に示す流体フィルタの線分Ｂ−Ｂ断面図である。
【発明を実施するための形態】
【００１０】
図１は、第１実施例の流体フィルタ１０を取り付けた状態を示す図である。流体フィルタ１０は、例えば車両のトランスミッションのオイルに含まれる鉄粉やアルミや塵などの異物を除去するために用いられる。流体フィルタ１０は、流体回路を形成する流路形成部１４に配置され、パイプ１２の端部に取り付けられる。
【００１１】
第１実施例の流体フィルタ１０は、側面の第２流体口２８から流体を取り入れ、パイプ１２側の第１流体口２６から流体を出すが、この態様に限られず、第１流体口２６から入れて第２流体口２８から出してもよい。流体フィルタ１０は、異物の通過を抑える網２４を有する筒状部２０と、筒状部２０をパイプ１２に取り付けるためのリテーナ２２とを備える。
【００１２】
流体フィルタ１０は、第２流体口２８に設けられた網２４により異物を除去する。網２４は、インサート成形により筒状部２０と一体に設けられる。網２４は、所定の大きさ以上の異物が通過できないように格子状に形成される。
【００１３】
なお、以下の説明では、流体フィルタ１０において、図中上端に位置する第１流体口２６側を一端といい、図中下端の部分を他端という。なお、流体フィルタ１０の取付状態は図１に示す姿勢に限られず、水平に伸びるパイプ１２や、下から突き出たパイプ１２に取り付けられてもよい。
【００１４】
図２は、リテーナ２２の斜視図である。また、図３（ａ）は、リテーナ２２の側面図であり、図３（ｂ）は、リテーナ２２の正面図である。また、図４（ａ）は、リテーナ２２の平面図であり、図４（ｂ）は、リテーナ２２の背面図である。
【００１５】
リテーナ２２は、受入部３０、フランジ３２、外筒部３４、第１係合部３６ａ，３６ｂ，３６ｃ、第２係合部３８、ストッパ４０を有する。リテーナ２２は、筒状部２０の一端側に組み付けられる。
【００１６】
受入部３０は、外筒部３４の径方向内側にて筒状に形成され、パイプ１２を挿入可能である。受入部３０は、筒状部２０の内方へ張り出すため、外筒部３４より軸方向に長く形成される。受入部３０は、第１流体口２６としても機能する。
【００１７】
フランジ３２は、受入部３０の外周面から径方向外向きに張り出し、受入部３０および外筒部３４をつなげる。フランジ３２は、環状の平板の形状に設けられる。
【００１８】
外筒部３４は、受入部３０の径方向外側にて筒状に形成され、径方向にみて受入部３０と重なるように設けられる。これにより、外筒部３４の外径を大きく設定でき、外筒部３４に連結する筒状部２０の外径も大きく設定でき、筒状部２０の外径を大きくすることで第２流体口２８の開口面積を大きくできる。受入部３０が、パイプ１２に係合するのに対し、外筒部３４は、筒状部２０に係合する。
【００１９】
第１係合部３６ａ，３６ｂ，３６ｃ（これらを区別しない場合「第１係合部３６」という）は、図４（ａ）に示すように外筒部３４の外周面に突出して形成され、筒状部２０に係合する。第１係合部３６ａは、リテーナ２２が筒状部２０から外れることを規制する。図３（ａ）および図３（ｂ）に示すように、第１係合部３６ｂと第１係合部３６ｃの形状を異ならせることで、リテーナ２２が筒状部２０に所定の回転位置で組み付けられるように構成できる。
【００２０】
第２係合部３８は、筒状の受入部３０の側面に形成され、パイプ１２に形成された係合孔に係合する。第２係合部３８は、パイプ１２に係合してパイプ１２が受入部３０から抜ける方向の動きを規制する。第２係合部３８は、図３（ｂ）に示すように筒状部２０の軸方向に沿って延出して撓み可能な弾接爪であり、図４（ａ）に示すように他端側に径方向内向きに突出する爪部３８ａを有する。第２流体口２８が弾性爪に形成されることで係合させやすくできる。第２係合部３８の爪部３８ａは、パイプ１２の係合孔を筒状部２０の奥側に位置させるように、第２係合部３８の他端側に位置する。
【００２１】
ストッパ４０は、受入部３０の他端側に径方向内向きに突出するように形成され、パイプ１２が挿入され過ぎないように、パイプ１２の移動を規制する。
【００２２】
図５は、筒状部２０の斜視図である。図５に示す筒状部２０は、網２４を省いて示される。筒状部２０は、第２流体口２８、基部４２、支持部４４、末端部４６、係止部４８ａ，４８ｂ，４８ｃおよび段部５０を有する。基部４２は、筒状に形成され、筒状部２０の一端に位置し、リテーナ２２の第１係合部３６に係合可能である。
【００２３】
係止部４８ａ，ｂ，ｃは、孔状に形成され、第１係合部３６ａ，ｂ，ｃにそれぞれ係合する。なお、係止部４８ａ，ｂ，ｃが突状に形成され、第１係合部３６ａ，ｂ，ｃが孔状に形成されてもよい。係止部４８ｂ，ｃは筒状部２０の一端を解放するようにスリット状に形成される。これにより、基部４２が拡開するように撓みやすくなり、第１係合部３６ａを係止部４８ａに係合させやすくなる。
【００２４】
支持部４４は、複数の柱部分と、その柱部分を中途で連結する環状部分とを有し、基部４２および末端部４６を連結し、網２４を支持し、流体フィルタ１０の剛性を高める。複数の支持部４４は、周方向に等間隔に離間する。複数の支持部４４の間に第２流体口２８が形成され、支持部４４に埋め込まれた網２４が第２流体口２８を覆う。末端部４６は他端に位置して流体フィルタ１０を閉塞し、円盤状に形成される。図５（ｂ）に示すように、段部５０は、基部４２の内面から径方向内向きに張り出すように形成される。
【００２５】
筒状部２０の基部４２にリテーナ２２を同軸で押し込むと、リテーナ２２の第１係合部３６ａが基部４２の内面に当たって、基部４２を撓ませながら係止部４８ａに移動して、係止部４８ａに入って係合する。これにより、筒状部２０およびリテーナ２２が一体となって、流体フィルタ１０が組み立てられる。
【００２６】
図６は、パイプ１２に取り付けた状態の流体フィルタ１０の断面図である。受入部３０にパイプ１２の端部が挿入されており、パイプ１２に形成された係合孔１２ａに第２係合部３８の爪部３８ａが入り込んで、流体フィルタ１０がパイプ１２から外れる方向の動きを規制している。
【００２７】
流体フィルタ１０のパイプ１２への取り付けは、一端側の第１流体口２６へパイプ１２を挿入させると、パイプ１２が爪部３８ａに当たって第２係合部３８を撓ませ、さらに挿入させるとパイプ１２の先端がストッパ４０に当たって挿入が止められ、爪部３８ａが係合孔１２ａに入り込んで、第２係合部３８がパイプ１２に係合する。このように、パイプ１２を流体フィルタ１０の中に挿入するだけで容易に組み付けることができる。
【００２８】
挿入されたパイプ１２の先端と受入部３０とが、網２４の内側に位置する。つまり、パイプ１２および受入部３０は、径方向に見て網２４と重なる位置に設けられる。これにより、オイル回路においてパイプ１２の先端からの軸方向距離に制限がある場合に、網２４を軸方向に長く設定でき、第２流体口２８の開口面積を大きくできる。また、係合孔１２ａが流体フィルタ１０の内側に位置するため、係合孔１２ａが外部に露出することなく、係合孔１２ａを完全に塞ぐ必要がなくなる。
【００２９】
パイプ１２と受入部３０は、係合孔１２ａより一端側にてシールしている。なお、パイプ１２と受入部３０が網２４の目の隙間以下の隙間を有しても、十分なシール機能を発揮する。リテーナ２２と筒状部２０の連結部分には、すなわち外筒部３４の外周面と基部４２の内周面の間には、網２４の目の隙間以下の隙間が形成されてもよい。格子状の網２４の目の隙間は、除去すべき異物の大きさにもとづいて設定されている。このように外筒部３４および基部４２は完全に密着する必要はなく、外筒部３４および基部４２の間に網２４の目の隙間以下の隙間を設けることで、組み付けを容易にすることができる。
【００３０】
図７は、第２実施例の流体フィルタ１００について説明するための図である。図７（ａ）および図７（ｂ）はパイプ１２に取り付けられた流体フィルタ１００の側面図であり、図７（ａ）に示す流体フィルタ１００は網１２４を省いて示される。また、図８は、流体フィルタ１００の分解図である。図８に示す筒状部１２０は網１２４を省いて示す。
【００３１】
第２実施例の流体フィルタ１００は、第１実施例の流体フィルタ１０と比べて、パイプ１２の取り付け位置が異なるが、リテーナ１２２によりパイプ１２に取り付けられる点は同様である。流体フィルタ１００は、流体が出入り可能な第１流体口１２６および第２流体口１２８を有する。
【００３２】
流体フィルタ１００は、筒状部１２０およびリテーナ１２２を備える。筒状部１２０は、基部１４２、支持部１４４、末端部１４６、係止部１４８、スリット１５２およびストッパ（不図示）を有する。リテーナ１２２は、第１流体口１２６、受入部１３０、第１係合部１３６および第２係合部１３８を有する。
【００３３】
筒状部１２０の基部１４２は一端側に位置して筒状に形成され、末端部１４６は他端側に位置する。支持部１４４は、基部１４２および末端部１４６を連結し、網１２４を支持する。末端部１４６は筒状部１２０の他端側を閉塞する。
【００３４】
基部１４２の外周面に径方向外向きに突出して係止部１４８が形成される。スリット１５２は、基部１４２の一端を解放するように形成され、スリット１５２内に第２係合部１３８を配置可能にする。
【００３５】
リテーナ１２２の受入部１３０は、筒状に形成され、一端側に位置し、第１流体口１２６を形成する。第１係合部１３６は、受入部１３０から筒状部１２０の軸方向に沿って延出し、撓み可能である。第２係合部１３８は、受入部１３０から筒状部１２０の軸方向に沿って延出し、撓み可能な弾性爪である。
【００３６】
第１係合部１３６は、筒状部１２０の係止部１４８に係合して、筒状部１２０およびリテーナ１２２を一体に結合する。第２係合部１３８は、パイプ１２の係合孔１２ａに係合し、流体フィルタ１００をパイプ１２に取り付ける。第１係合部１３６および第２係合部１３８のいずれも撓み可能であり、筒状部１２０およびリテーナ１２２のユニット化と、パイプ１２への取り付けを容易にする。
【００３７】
第１係合部１３６および第２係合部１３８は、それぞれ一対ずつ対向するように設けられ、交互に周方向にずれた位置に設けられる。図７（ａ）に示すように、第２係合部１３８がスリット１５２に収まることで、筒状部１２０およびリテーナ１２２の周方向のずれが規制される。また、孔状の第１係合部１３６に突状の係止部１４８が収まることで、筒状部１２０およびリテーナ１２２の周方向のずれが規制される。
【００３８】
第２係合部１３８は、一端側から他端側に向かって、すなわち先端側に向かって径方向内向きに傾斜する。この傾斜により第２係合部１３８の先端は、受入部１３０の内周面より径方向内側に張り出す。
【００３９】
図９は、図７（ａ）に示す流体フィルタ１００の線分Ａ−Ａ断面図である。パイプ１２は、流体フィルタ１００の一端側の第１流体口１２６から挿入されて、基部１４２およびリテーナ１２２の内側に挿入され、ストッパ１４０に当たって挿入が止められ、係合孔１２ａに第２係合部１３８の爪部が入り込んで係合される。このように、流体フィルタ１００はパイプ１２を差し込むだけで容易に取り付けることができる。
【００４０】
第２係合部１３８が径方向内向きに傾斜しているため、第２係合部１３８が係合孔１２ａに係合した状態で、係合孔１２ａを塞いでいる。これにより、異物が係合孔１２ａから出入りすることを抑えることができる。パイプ１２と筒状部１２０の連結部分には、すなわちパイプ１２の外周面と基部１４２の内周面の間には、網２４の目の隙間以下の隙間が形成されてもよい。
【００４１】
図１０は、図７（ｂ）に示す流体フィルタ１００の線分Ｂ−Ｂ断面図である。係合孔１２ａは、第２係合部１３８によって塞がれている。第１係合部１３６は、係止部１４８に係合し、リテーナ１２２が筒状部１２０から外れる方向の軸方向の動きを規制している。
【００４２】
受入部１３０および基部１４２は、軸方向にずれているが、パイプ１２をそれぞれ囲むことで、流体フィルタ１００のパイプ１２に対するガタつきを抑えることができる。
【００４３】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【符号の説明】
【００４４】
１０  流体フィルタ、  １２  パイプ、  １２ａ  係合孔、  １４  流路形成部、  ２０  筒状部、  ２２  リテーナ、  ２４  網、  ２６  第１流体口、  ２８  第２流体口、  ３０  受入部、  ３２  フランジ、  ３４  外筒部、  ３６  第１係合部、  ３８  第２係合部、  ３８ａ  爪部、  ４０  ストッパ、  ４２  基部、  ４４  支持部、  ４６  末端部、  ４８  係止部、  ５０  段部、  １００  流体フィルタ、  １２０  筒状部、  １２２  リテーナ、  １２４  網、  １２６  第１流体口、  １２８  第２流体口、  １３０  受入部、  １３６  第１係合部、  １３８  第２係合部、  １４０  ストッパ、  １４２  基部、  １４４  支持部、  １４６  末端部、  １４８  係止部、  １５２  スリット。
【図１】
2020089846.tif 000003
【図２】
2020089846.tif 000004
【図３】
2020089846.tif 000005
【図４】
2020089846.tif 000006
【図５】
2020089846.tif 000007
【図６】
2020089846.tif 000008
【図７】
2020089846.tif 000009
【図８】
2020089846.tif 000010
【図９】
2020089846.tif 000011
【図１０】
2020089846.tif 000012